(57)【要約】【課題】複数のカードを同時に掲示可能であり、さらに複数の予備のカードを収納しておくことが可能なカードホルダーを提供する。【解決手段】可撓帯部５によって連結され二つ折りにすることが可能であり、第一表示ポケット２と、第二表示ポケット３とを備えるカード表示部４と、カード表示部４の背側に装着され、予備のカード等を収納可能な予備カード収納ポケット６と、カード表示部４の両端に設けられ、係止されることでカード表示部４を二つ折りにし、予備カード収納ポケット６の開口部を可撓帯部５によって閉塞させた状態で保持するホルダー折畳閉止部１１と、カード表示部４を二つ折りにした状態においても、また、伸長した状態においても吊下げて第一表示ポケット２及び第二表示ポケット３に収納したカードＣを掲示可能とする吊下基部９とを具備する。【選択図】図１
0003126133.tif 000002
【実用新案登録請求の範囲】
【請求項１】
１枚のカードを内部に保持可能な袋状を呈し、中に収納された前記カードの表面を、表側から視認可能に保持する第一表示ポケット、
１枚のカードを内部に保持可能な袋状を呈し、中に収納された前記カードの表面を、表側から視認可能に保持する第二表示ポケット、
及び、一方の端部が前記第一表示ポケットの一端に接合され、他方の端部が前記第二表示ポケットの一端に接合され、前記第一表示ポケットと前記第二表示ポケットとを可撓に連結する可撓帯部
を備えるカード表示部と、
１辺が開口された袋状を呈し、中に複数のカードを収納可能であり、前記カード表示部の背側に備えられた予備カード収納ポケットと、
前記カード表示部に着設され、吊下用部材を取設可能な吊下基部と
を具備することを特徴とするカードホルダー。
【請求項２】
相互に係止可能な一組の係止機構を備え、一方が前記第一表示ポケットに接合され、他方が前記第二表示ポケットに接合され、前記係止機構が係止されることで前記可撓帯部が撓んで前記カード表示部を二つ折りの状態で保持するホルダー折畳閉止部を更に具備し、
前記吊下基部が、前記第一表示ポケットの、可撓帯部が接合される端部とは反対側の端部または前記第一表示ポケット側のホルダー折畳閉止部に着設されることを特徴とする請求項１に記載のカードホルダー。
【請求項３】
前記予備カード収納ポケットが、前記第二表示ポケットの背側に付設されており、
前記予備カード収納ポケットの開口部が前記可撓帯部側に向いており、
前記ホルダー折畳閉止部が、前記第一表示ポケットの裏面側と前記第二表示ポケットの裏面側とが面する向きで係止される係止構造を有すること
を特徴とする請求項２に記載のカードホルダー。
【請求項４】
前記予備カード収納ポケットが透明度の高い素材で形成されており、収納されたカードの表面が前記予備カード収納ポケットの外部から視認可能であり、
カードを収納可能な袋状を呈し、前記カード表示部の背側に装着され、中に収納されたカードの表面を視認可能な状態で保持する第三表示ポケットを更に具備することを特徴とする請求項２または請求項３に記載のカードホルダー。
【請求項５】
前記カード表示部の背側に付設された鏡面部を更に具備することを特徴とする請求項１乃至請求項４の何れか一つに記載のカードホルダー。
【考案の詳細な説明】
【技術分野】
【０００１】
本考案は、名札や身分証明証等のカードを収納して、身体の前面等に係止してカードを掲示するためのカードホルダーに関するものである。
【背景技術】
【０００２】
従来、名札や身分証明証、あるいは名刺などのカードを収納し、首から紐で吊り下げたり、胸ポケット等にピンで留めたりしてカードを掲示するためのカードホルダーが知られている。例えば、全体が透明樹脂でポケット状に成形されており、中に挿入された１枚のカードを保持し、上部に係止用の貫通孔が形成されており、その貫通孔に紐等を通して使用者の首に掛けられるようになっているものが挙げられる。
【０００３】
１枚のカードを収納して名札のように掲示する、上記のようなカードホルダーを使用した場合、１個のカードホルダーにつきカードが１枚しか掲示できないため、名札の他に身分証明証となるカードを同時に掲示しておきたい時等、複数のカードを掲示したい時には、複数のカードホルダーを同時に使用する必要があった。それに対し、２箇所の表示ポケットを有し、各表示ポケットの内部が仕切りシートで裏表に仕切られており、各表示ポケットの裏表にカードを１枚ずつ収納し、同時に４枚のカードを保持することができるカードホルダーが特許文献１に開示されている。
【０００４】
【特許文献１】特開２００３−２３５６２６号公報
【考案の開示】
【考案が解決しようとする課題】
【０００５】
しかし、従来のカードホルダーでは、表示用のカードがずれたり落ちたりしないように収納することを目的とし、仕切りシートによって各々の表示ポケットの内部が仕切られ、各表示ポケットは、裏表各１枚ずつのカードを比較的緊密に収納されるように薄い形状で形成されていた。そのため、配布用の名刺等の予備のカードを複数収納しておくためには、空いている表示ポケットまたは掲示しているカードが入っているポケットの空隙に複数のカードを挿入しておく必要があった。しかし、従来のカードホルダーの表示ポケットは、仕切りシートによって仕切られた各部に各々１枚ずつのカードを収納するサイズに形成されているため、予備の名刺のように多数のカードの収納には不向きであった。すなわち、従来のカードホルダーの表示ポケットは、カードを頻繁に出し入れする使用状況は想定されておらず、各部に１枚のカードが緊密に収納されるように形成されているため、表示ポケットに名刺等を収納して繰り返し出し入れを行うには不便であった。さらには、カードの出し入れや表示ポケットの開閉が繰り返されることによって表示ポケットが破損しやすいという問題があった。
【０００６】
また、従来のカードホルダーにおいて、多数のカードをまとめて収納可能とするために、表示ポケットを比較的大きな空隙を有する形状とすると、各表示ポケットは裏表が仕切りシートによって仕切られているものの、各々が独立して形成されていないため、少数のカードのみを収納する場合には表示ポケット内部の緊密性が損なわれ、カードがずれたり脱落したりする虞があった。このように、従来のカードホルダーは、多数のカードを収納するには不適当であった。
【０００７】
なお、予備の名刺等を所持するために、カードホルダーとは別に名刺入れ等の収納具を利用すると、所持品が増えて不便になりがちであった。さらに、名刺入れ等の収納具に予備のカードを収納していると、掲示するときにポケット等から収納具を取り出し、更にその中からカードを出して掲示しなくてはならないので、複数のカードを掲示する機会が多い場合や名刺等を素早く用意したい場合には不都合があった。
【０００８】
そこで、本考案は、上記の実状に鑑み、複数のカードをすぐに掲示可能な状態で保持するとともに、複数の予備のカードを収納し容易に出し入れ可能とするカードホルダーの提供を課題とするものである。
【課題を解決するための手段】
【０００９】
本考案にかかるカードホルダーは、「１枚のカードを内部に保持可能な袋状を呈し、中に収納された前記カードの表面を、表側から視認可能に保持する第一表示ポケット、
１枚のカードを内部に保持可能な袋状を呈し、中に収納された前記カードの表面を、表側から視認可能に保持する第二表示ポケット、
及び、一方の端部が前記第一表示ポケットの一端に接合され、他方の端部が前記第二表示ポケットの一端に接合され、前記第一表示ポケットと前記第二表示ポケットとを可撓に連結する可撓帯部
を備えるカード表示部と、
１辺が開口された袋状を呈し、中に複数のカードを収納可能であり、前記カード表示部の背側に備えられた予備カード収納ポケットと、
前記カード表示部に着設され、吊下用部材を取設可能な吊下基部と
を具備する」ものである。
【００１０】
第一表示ポケット及び第二表示ポケットの２箇所の表示ポケットは、可撓帯部を挟んで２段に構成されており、各々にカードを収納することが可能である。各表示ポケットは何れも透明性の高い素材で形成され、袋状となったポケットの内側に名刺等のカードを収納可能となっている。表示ポケットの内側は、表示するためのカードが１枚入る程度の空隙として形成されている。
【００１１】
本考案のカードホルダーは、第一表示ポケットと第二表示ポケットとが可撓帯部によって連結されてカード表示部が構成されている。可撓帯部がたわむことによってカード表示部は二つ折り可能となっている。第一表示ポケットと第二表示ポケットの２箇所にカードを収納することが可能であるため、複数のカードをすぐに掲示することが可能な状態で保持しておくことができる。そして、カード表示部を伸長した状態においては２枚のカードを同時に掲示することも可能である。また、カード表示部を二つ折りにすると、カードホルダーはより小形化し、携帯に便利となる。折畳んだ場合にも、表示面を外側にして折畳むことによって、裏表に各表示ポケットが位置する形態にでき、各表示ポケットに収納したカードを外部から視認可能にしておくことが可能である。
【００１２】
例えば、第一表示ポケットには役職と氏名が記されたＩＤカードを挿入して表示し、第二表示ポケットには資格証明証を挿入して、カード表示部を伸ばした状態で２枚のカードを同時に表示するといった使用方法が可能である。また、一方に名刺を挿入して表示し、他方に開催中のイベント等を知らせる鮮やかな色彩の施された案内カードを挿入し、カード表示部を折り畳んだ状態で前後の向きを変えて両面を掲示するといった使用方法も可能であり、２枚のカードの組み合わせによって多様な用途に用いることができる。
【００１３】
また、本考案のカードホルダーは、カード表示部の背側に予備カード収納ポケットを備えている。予備カード収納ポケットは名刺等の複数のカードを収納可能な空隙が内部に設けられた形状で形成されている。これにより、複数の予備のカードを予備カード収納ポケット内に収納し、容易に出し入れ可能とすることができる。従って、予備のカードを無理に表示用ポケットに挿入し出し入れを繰り返すことによる不便さを解消するとともに、無理な出し入れによるカードホルダーの破損を防ぐことができる。
【００１４】
また、カードホルダーだけで名刺入れの機能も兼用させることが可能となるので、配布用または提示用の名刺を入れておくために名刺入れや財布等の収納具を携帯する必要をなくすことができる。従って、名刺交換の時や、身分証明のためにＩＤカードの提示をする場合に、それらのカードを収納した収納具をわざわざ取り出す必要がなくなる。また、財布や名刺入れなどの小形の収納具を同時に多数携帯するとポケットやかばんの中で邪魔になる上、注意が行き届かないために紛失してしまう虞も高まるが、本考案によれば、カードホルダーに予備カードの収納具の機能を兼用させ、携帯する名刺入れ等の小物を減らすことによって、ポケットやかばんの中のものを減らして整理するとともに、不注意によって小物類を紛失する危険性を低減させることが可能となる。
【００１５】
また、本考案に係るカードホルダーは、「相互に係止可能な一組の係止機構を備え、一方が前記第一表示ポケットに接合され、他方が前記第二表示ポケットに接合され、前記係止機構が係止されることで前記可撓帯部が撓んで前記カード表示部を二つ折りの状態で保持するホルダー折畳閉止部を更に具備し、
前記吊下基部が、前記第一表示ポケットの、可撓帯部が接合される端部とは反対側の端部または前記第一表示ポケット側のホルダー折畳閉止部に着設される」構成とすることもできる。
【００１６】
ホルダー折畳閉止部は、面ファスナーやホック等の着脱可能な係止機構を備えており、ホルダー折畳閉止部を係止して、カードホルダー全体を中央で二つ折りにした形態を維持することができる。これにより、カードホルダーを折り畳んで小形にすることができる。折畳んだ状態において予備カード収納ポケットに蓋をして閉止することができるので、予備カード収納ポケットに予備のカードを多数収納している場合にも、カードの脱落や散乱の虞を小さくすることができる。また、ホルダー折畳閉止部によって折り畳んだ状態を維持することにより、掲示する必要がないカードや空の表示ポケットを隠しつつ、カードホルダーの各部が動いてバタバタとすることを防止することができるので、カードホルダーの外観を視覚的にすっきりとさせて使用者の外見的な印象を改善することができる。
【００１７】
また、本構成によれば、吊下基部がカード表示部の第一表示ポケット側の端部に着設されており、カード表示部を伸長した状態で吊下げて、第一表示ポケットと第二表示ポケットとを上下二段に示して掲示することができる。つまり、使用者が手で開かずとも２枚のカードを同時に掲示可能であるため、さらに利便性を高めることができる。
【００１８】
また、本考案に係るカードホルダーは、「前記予備カード収納ポケットが、前記第二表示ポケットの背側に付設されており、
前記予備カード収納ポケットの開口部が前記可撓帯部側に向いており、
前記ホルダー折畳閉止部が、前記第一表示ポケットの裏面側と前記第二表示ポケットの裏面側とが面する向きで係止される係止構造を有する」構成とすることもできる。
【００１９】
本構成によれば、予備カード収納ポケットは開口部が可撓帯部に面する方向に設けられており、吊下基部は第一表示ポケットの端部に備えられているので、カードホルダーを二つ折りにして閉じた状態で第一表示ポケットを上にして吊下げたときに、予備カード収納ポケットに収納されたカードが可撓帯部によって押さえられ、カードの脱落を防止することができる。カードホルダーを折り畳んだ時に予備カード収納ポケットの開口部が下向きになったとしても、可撓帯部によって予備カード収納ポケットの開口部が塞がれるのでカードが開口部から脱落することはない。また、カードホルダーを折り畳んだ状態から伸ばす過程や、逆に伸長した状態から折り畳む過程においても予備カード収納ポケットの開口部が下方を向く場合があるが、予備カード収納ポケットの開口部が下方に向いている間はカード表示部が屈曲しており、可撓帯部がカードの脱落を防止するため、途中でカードが脱落する虞がない。
【００２０】
また、本考案に係るカードホルダーは、「前記予備カード収納ポケットが透明度の高い素材で形成されており、収納されたカードの表面が前記予備カード収納ポケットの外部から視認可能であり、
カードを収納可能な袋状を呈し、前記カード表示部の背側に装着され、中に収納されたカードの表面を視認可能な状態で保持する第三表示ポケットを更に具備する」構成とすることもできる。
【００２１】
本構成によれば、予備カード収納ポケットが透明な素材で形成されており中に収納したカードが外部から視認可能であり、且つ、カードホルダーの背側、すなわち予備カード収納ポケットと同じ側に第三表示ポケットが備えられているため、カードホルダーの表側と同様に２枚のカードを並べて掲示することが可能となる。従って、カードホルダーの表側に２枚、背側に２枚の合計４枚のカードを収納し、カードホルダーの裏表を反転させるだけで４枚全てを手早く提示することができる。また、表側と背側とに各々１〜２枚のカードを掲示可能な状態で収納しておき、表裏を反転させることで２通りの掲示内容を切り替えることも可能である。これにより、複数のカードホルダーを携帯する必要性を低減させることが可能となる。さらに、表側と背側とに同じカードを収納しておいて、カードホルダーの表裏が不意に反転してしまっても掲示に支障が無いようにすることもできる。
【００２２】
また、本考案に係るカードホルダーは、「前記カード表示部の背側に付設された鏡面部を更に具備する」構成とすることもできる。
【００２３】
本構成によれば、カードホルダーに鏡面部を備えており、簡易な手鏡として利用できる。従って、鏡を備えた小物等を別に携帯する必要がなくなり、携帯物をさらに省くことができる。特に、カードホルダーを紐で首から吊下げる場合には、カードホルダーを手で持って背側の鏡面部を見るだけで使用者自身の姿を確認することができるため、手鏡や鏡を備えた小物をポケットや鞄から出し入れすることなく、こまめに身だしなみを整えることが可能となる。
【考案の効果】
【００２４】
このように、本考案のカードホルダーによれば、複数の予備の名刺等のカードをカードホルダー内に収納し、容易に出し入れできるようにすることが可能である。また、１枚のカードのみを掲示しつつ、カードホルダーの前後を転回させることで２枚のカードを迅速に掲示することもできる。さらに、伸長して２枚のカードを同時に掲示することも可能であり、多様な掲示方法が可能となる。
【考案を実施するための最良の形態】
【００２５】
以下、本考案の第一の実施形態であるカードホルダーについて、図１乃至図４に基づき説明する。図１は第一の実施形態のカードホルダーの構成を示す斜視図であり、図２はカードホルダーの構成を示す正面図であり、図３は図２のＡ−Ａにおける断面を示した断面図である。また、図４はカードホルダーを折り畳んだ状態を示す斜視図である。
【００２６】
図１乃至図３に示すように、本実施形態のカードホルダー１は、第一表示ポケット２、第二表示ポケット３、及び可撓帯部５を備えるカード表示部４を主たる部分として、予備カード収納ポケット６、ホルダー折畳閉止部１１、吊下基部９を具備して構成される。
【００２７】
カード表示部４は、２箇所の表示ポケット、すなわち第一表示ポケット２及び第二表示ポケット３を備えており、第一表示ポケット２と第二表示ポケット３とを可撓帯部５によって連結した構成となっている。第一表示ポケット２及び第二表示ポケットは、何れも名刺や各種の身分証明カード、資格証等のカードが収納可能なサイズで、背の部材と、表の部材とが何れも矩形に裁断された透明なプラスティックのシートが端部で接着されて３方が閉じた袋状に形成されている。材質は、オレフィン系樹脂等であり、曲げ伸ばしが可能な柔軟性を有している。第一表示ポケット２及び第二表示ポケット３は、何れも正面向かって左側の端部は背の部材と表の部材とが接着されておらず開口部が形成されている。可撓帯部５は、第一表示ポケット２の背部材及び第二表示ポケット３の背部材と一体に形成されている。
【００２８】
予備カード収納ポケット６は、やはりオレフィン系樹脂等の透明なプラスティックで形成されており、複数枚のカードを収納可能な厚みを有する柔軟な袋状を呈している。予備カード収納ポケット６は、第二表示ポケット３の背側に接着されており、可撓帯部５の側が開口し、他の三方は閉じられている。
【００２９】
ホルダー折畳閉止部１１は、第一表示ポケット２の上側端部に装着された第一閉止部７と、第二表示ポケット３の下側端部に装着された第二閉止部８とを一対として構成されている。第一閉止部７の背側の面には面ファスナーの鉤側である係止部材７ａが接着されており、一方、第二閉止部８の背側の面には面ファスナーの輪側である係止部材８ａが接着されている。図４に示すように、カード表示部４を、可撓帯部５において背側を内側として二つ折りにした時に、第一閉止部７と第二閉止部８とが正対し、面ファスナーである係止部材７ａと係止部材８ａとが係止する。ホルダー折畳閉止部１１は、係止部材７ａと係止部材８ａとが係止すると閉じた状態となり、カード表示部４は全体が二つ折りになって第一表示ポケット、または第二表示ポケットのみが掲示される状態となる。
【００３０】
吊下基部９は、矩形の舌片状を呈し、第一閉止部７の上端中央部から延出されてカード表示部４と一体的に形成されており、中央部には貫通孔１０が開口されている。貫通孔１０には紐やクリップ等を取り付けることが可能な吊下用係止部材Ｓを装着可能となっている。また、貫通孔１０に直接に紐等を通して吊下げ可能にして使用することもできる。
さらに、２枚以上のカードを同時に掲示する必要がない場合には、紐孔１２に紐を通して吊下げて使用することも可能である。
【００３１】
本実施形態のカードホルダー１は、第一表示ポケット２及び第二表示ポケット３の二箇所の表示ポケットを有しており、ホルダー折畳閉止部１１の係止を解除して開き、カード表示部４を伸張した状態で２枚のカードを同時に掲示することが可能である。また、中央の可撓帯部５で折り曲げ、ホルダー折畳閉止部１１を閉じてカード１枚分のサイズのカードホルダーとして１枚のみのカードを掲示して使用することもできる。
【００３２】
さらに、カード表示部４の背面側に予備カード収納ポケット６を備えており、名刺などの予備のカードを複数収納しておき、必要に応じて収納されたカードを容易に取り出すことができる。図４に示すように、カード表示部４が二つ折りにされたときには、予備カード収納ポケット６の開口部は下向きになるが、曲折した可撓帯部５の内側に面しており、中に収納したカードは可撓帯部５の内側に当接して保持されるため、開口部から脱落することはない。
【００３３】
これにより、１枚のカードのみを表示する時には折り畳んでカード１枚分のサイズのカードホルダーとして使用しつつ、予備カード収納ポケット６の開口部を可撓帯部５によって覆い、予備カード収納ポケット６に収納したカードの不意の脱落を防止することができる。
【００３４】
また、図１に示すように、ホルダー折畳閉止部１１を開き、カード表示部４が伸びた状態にすれば、第一表示ポケット２と第二表示ポケット３とが上下に並んで、各々の表示ポケットに収納された２枚のカードを上下２段に並べて同時に掲示することが可能である。吊下基部９は第一表示ポケット２の上端部に備えられているので、使用者が身体の前面に吊下げて掲示した場合に、第一表示ポケット２が上であり、第二表示ポケット３が下である向きで上下に整然とカードを並べて表示できる。
【００３５】
そして、予備カード収納ポケット６に収納された名刺等の予備のカードは、カード表示部４が伸びた状態においては予備カード収納ポケット６から容易に取り出すことができるので、例えば名刺交換を行う際に、カードホルダー１の使用者は、名札と資格証明証とが第一表示ポケット２及び第二表示ポケット３に収納されたカードホルダー１を相手に対して提示しつつ、背側に装着された予備カード収納ポケット６から名刺を取り出して相手に渡すということが可能となる。さらに、資格証明証等を提示する必要があれば、そういったカード類も確認することが必要となるが、もしも名刺入れと名札や証明証類が別々に携帯されていたならば、名刺を受け取る人は、名札や証明証類を見た後に受け取った名刺を見て、その後に名札や証明証類を再度確認するといった方法で名刺を渡した人を確認することになりかねず、注意が散漫になりやすいが、本考案のカードホルダー１によれば、カードホルダー１の使用者は相手に一瞥で２枚のカード類を確認させることができ、さらに名刺を名刺入れなどから取り出すことなくカードホルダー１から出すことが可能であるため、相手に対して効果的に自身を印象づけることが可能となる。
【００３６】
また、本考案は前記実施形態に限定されるものではなく、例えば、次に説明するように吊下基部の着設箇所が異なる構成のカードホルダーも実施することができる。以下、本考案の第二の実施形態であるカードホルダー２０について、図５に基き説明する。図５はカードホルダー２０の構成を示す斜視図である。カードホルダー２０の構成は、カードホルダー１の構成と共通しているものの、吊下基部９が着設される箇所が異なっており、吊下基部９がカード表示部４の中央部に着設される構成となっている。予備カード収納ポケット６は、第二表示ポケット３の裏側に装着されている。カード表示部４を可撓帯部５において撓めて折畳み、ホルダー折畳閉止部１１を係止し、吊下基部９に吊下係止部材Ｓを取り付けて吊下げると、カードホルダー２０は全体が二つ折りになり、吊下基部９が着設された可撓帯部５が上側になるようにして、第一表示ポケット２または第二表示ポケット３に挿入されたカードＣを掲示することができる。また、可撓帯部５には紐孔１２が２箇所穿設されており、紐孔１２に紐を通すことによって吊下げることも可能である。
【００３７】
カードホルダー２０を折畳んだ状態で係止すると、予備カード収納ポケット６に収納した予備のカードは、第一表示ポケット２と可撓帯部５とが蓋状の部分を形成するので、カードホルダー２０が傾斜したり転倒した場合においても中に収納されたカードが予備カード収納ポケット６から脱落する虞がない。さらに、可撓帯部５を伸長し、カード表示部４の半分に相当する第一表示ポケット２を上に持ち上げるだけで予備カード収納ポケット６にカードを出し入れできて扱いやすい。
【００３８】
ホルダー折畳閉止部１１の係止を解除して、カード表示部４を伸長すると、第一表示ポケット２及び第二表示ポケット３に収納された２枚のカードを同時に掲示することも可能である。また、カード表示部４を二つ折りにした状態で、カードホルダー２０を転回させて第一表示ポケット２及び第二表示ポケット３の両方を順番に表示することも可能である。
【００３９】
カードホルダー２０によれば、吊下基部９が可撓帯部５に着設されているため、吊下基部９がカード表示部４の中央部に位置する。従って、吊下係止部材Ｓや紐等を利用して吊下げられている時にホルダー折畳閉止部１１の係止を解除しても、重量バランスがよく、安定した状態で吊下げることができる。したがって、吊下げて使用している時に予備のカードを取り出すべく使用者がホルダー折畳閉止部１１を開いても、カードホルダー２０を安定させておくことが可能である。
【００４０】
また、例えば、予備カード収納ポケットの装着箇所が異なるカードホルダーも実施することができる。以下、本考案の第三の実施形態であるカードホルダー３０について、図６に基き説明する。図６はカードホルダー３０の構成を示す斜視図である。
【００４１】
カードホルダー３０は、カードホルダー１と同様に、カード表示部４の上下にホルダー折畳閉止部１１が備えられ、上端部に吊下基部１０が設けられている。しかし、予備カード収納ポケット３６はカードホルダー１の予備カード収納ポケット６とは異なり、第一表示ポケット２の背側に装着されている。カードホルダー３０を折り畳んだ場合に予備カード収納ポケット３６の開口部は、可撓帯部５ではなくホルダー折畳閉止部１１の方を向く。
【００４２】
このように、カードホルダー３０によれば、予備カード収納ポケット３６の開口部がホルダー折畳閉止部１１側を向いており、ホルダー折畳閉止部１１の近傍に位置しているため、折り畳んだ状態で使用中に予備カード収納ポケット３６からカードを取り出す時に、ホルダー折畳閉止部１１の係止を解除して若干開くだけでカードを取り出すことができる。つまり、カードホルダー全体を伸長する必要がないため、カードの出し入れを容易かつ迅速に行うことが可能となる。
【００４３】
また、例えば、背側にも表示ポケットを備えたカードホルダーも実施が可能である。以下、本考案の第四の実施形態であるカードホルダー４０について、図２及び図７に基き説明する。図７はカードホルダー４０の構成を示す背面図及びＢ−Ｂにおける断面を示す断面図である。
【００４４】
カードホルダー４０は、カードホルダー１の構成に加えて、第一表示ポケット２の背側に、第一表示ポケット２と同形状を呈する第三表示ポケット４２が装着されている。また、予備カード収納ポケット６は、全体が透明性の高いプラスティックで形成されており、中に収納したカードを外から視認可能となっている。
【００４５】
カードホルダー４０によると、第三表示ポケット４２と、予備カード収納ポケット６とが上下二段に配置されており、何れも中に収納したカードを外から視認可能となっているため、カードホルダーを前後逆にすると第三表示ポケット４２に収納したカードと、予備カード収納ポケット６の一番外側寄りに収納されたカードとを正面に向けて掲示することができる。すなわち、第一表示ポケット２及び第二表示ポケット３を備えた表側に加えて、第三表示ポケット４２及び予備カード収納ポケット６を備えた背側も同様に、同時に２枚のカードを掲示するカードホルダーとして使用できる。これにより、予備カード収納ポケット６の、予備カードを収納する機能を損なうことなく、裏表合わせて４枚のカードを、カードホルダーを前後反転させることでたちどころに提示可能とすることができる。例えば、複数の資格証や身分証明証を提示可能にして用意している必要がある場合にも、カードホルダー４０によれば、３枚乃至４枚のカードをすぐに提示できる状態で携帯することができる。
【００４６】
さらに、例えば、次に説明するように鏡面部やポケット蓋を備えたカードホルダーも実施することができる。本考案の第五の実施形態であるカードホルダー５０について、図８に基き説明する。図８はカードホルダー５０の構成を左上後方から示す斜視図である。
【００４７】
カードホルダー５０は、第一表示ポケット２及び第二表示ポケット３の表示面側が透明なプラスティックのシートで形成されている以外は、全体が不透明に着色されたプラスティックで形成されている。
【００４８】
カードホルダー５０においては、予備カード収納ポケット６にポケット蓋１５が備えられている。ポケット蓋１５はカード表示部４と同じ材質で形成されており、カード表示部４に一端が接着され、接着箇所を支点として開閉可能な蓋状を呈し、閉じた状態においては、予備カード収納ポケット６の開口部を覆う。
【００４９】
第一表示ポケット２の背側には、鏡面部１６が装着されている。鏡面部１６は、プラスティックで形成された平板の表側が銀メッキ仕上げされており、裏側が第一表示ポケット２の背側面に接着されている。ホルダー折畳閉止部１１を開き、カード表示部４を伸ばすと鏡面部１６は鏡として使用することが可能である。
【００５０】
このように、カードホルダー５０によれば、予備カード収納ポケット６の開口部がポケット蓋１５によって覆われているため、カードホルダー５０が上下さかさまになった場合にも、予備カード収納ポケット６に収納されたカードが脱落して散乱する虞が低減される。また、鏡面部１６を備えているため、身だしなみを整えるための簡易な手鏡としても使用することができる。また、第一表示ポケット２及び第二表示ポケット３の表示面以外の部分が不透明な素材で形成されていることによって鏡面部１６の裏側が見えなくなっており、意匠性を高めることが可能である。さらに、不透明な素材で形成された予備カード収納ポケット６の内側は外からは見えないため、他者には見られたくない予備カードや、その他の小物を収納しておくことができる。
【００５１】
以上、本考案について好適な実施形態を挙げて説明したが、本考案はこれらの実施形態に限定されるものではなく、以下に示すように、本考案の要旨を逸脱しない範囲において、種々の改良及び設計の変更が可能である。
【００５２】
すなわち、ホルダー折畳閉止部１１の係止部材として、カードホルダー１においては面ファスナーを使用するものを示したが、これに限定されるものではなく、係止部材は例えばホックやボタンであってもよい。また、磁力を用いて係止するものや、部材の嵌挿によって係止するものであってもよい。
【００５３】
また、吊下基部９の貫通孔１０は、孔が１個に限定されるものではなく、複数の孔を備えるものであってもよいし、吊下用係止部材を取り付けることができれば孔の無い形状であってもよい。
【００５４】
また、カードホルダー１においては可撓帯部５に紐孔１２が穿設されているものを示したが、これに限定されるものではなく、可撓帯部５が吊下用係止部材を取付可能な形状に形成されていてもよい。
【００５５】
また、カードホルダー５０の鏡面部１６は、メッキ処理を施したプラスティック製の部材を例示したが、材質及び仕上はこれに限定されるものではなく、ガラスや金属を用いて製造された鏡であってもよいし、紙類や繊維等の他の素材を用いたものであってもよい。
【図面の簡単な説明】
【００５６】
【図１】本考案のカードホルダーの第一の実施形態の構成を示す斜視図である。
【図２】カードホルダーの第一の実施形態の構成を示す正面図である。
【図３】図２のＡ−Ａにおける断面を示す断面図である。
【図４】カードホルダーを畳んだ状態を示す斜視図である。
【図５】第二の実施形態であるカードホルダーの構成を示す斜視図である。
【図６】第三の実施形態であるカードホルダーの構成を示す斜視図である。
【図７】第四の実施形態であるカードホルダーの構成を示す背面図及びＢ−Ｂにおける断面を示す断面図である。
【図８】第五の実施形態であるカードホルダーの構成を示す斜視図である。
【符号の説明】
【００５７】
Ｃ  カード
１，２０，３０，４０，５０  カードホルダー
２  第一表示ポケット
３  第二表示ポケット
４  カード表示部
５  可撓帯部
６  予備カード収納ポケット
９  吊下基部
１１  ホルダー折畳閉止部
１６  鏡面部
３６  予備カード収納ポケット
４２  第三表示ポケット
【図１】
0003126133.tif 000003
【図２】
0003126133.tif 000004
【図３】
0003126133.tif 000005
【図４】
0003126133.tif 000006
【図５】
0003126133.tif 000007
【図６】
0003126133.tif 000008
【図７】
0003126133.tif 000009
【図８】
0003126133.tif 000010